(57)【要約】【課題】簡単な構造により、棒状化粧料を出没させるにあたり過剰な軸筒の回転操作がなされても、棒状化粧料容器自体の損壊を防止するとともに、その過剰操作を使用者に警告する。【解決手段】ネジ駒１４の回転によって前後方向へ摺動するチャック軸１９を、チャック部２０と雄ネジ部２５及びその間に設けられるバネ部２７とからなるものとするとともに、該チャック部の前後方向への摺動可能距離よりも雄ネジ部の最先端ネジ山と最後端ネジ山との距離を若干長く設定することにより、軸筒を過剰に回転させても、ネジ駒と雄ネジ部との噛合の解離と、バネ部の弾撥力によるクリック音を伴う再噛合とを繰り返すこととなる。【選択図】図３
2008220702.tif 000002
【特許請求の範囲】
【請求項１】
相互に個別回転可能に一体となる先筒と軸筒とからなる容器本体と、該容器本体内において先筒の開口部より棒状化粧料を出没させてなるネジ駒及びチャック軸とから構成され、
該先筒は、内周面前後方向に案内溝を有し、
該軸筒は、その内周面にチャック軸の雄ネジ部と噛合する雌ネジ部が螺設されるネジ駒を一体に固持し、
該チャック軸は、チャック部、雄ネジ部、及びそれらの間に一体に形成されるバネ部からなり、該チャック部は、その前端縁において棒状化粧料を把持するとともに、その側面に、前記先筒の内周面に設けられた案内溝に遊嵌する突条縁が設けられ、更に、その後端縁には径外方向に突出する鍔部が周設され、該雄ネジ部は、前記ネジ駒の雌ネジ部と噛合し、該バネ部は、上記チャック部と雄ネジ部との間において、該容器本体前後方向に伸縮自在に形成され、
軸筒と同期するネジ駒の回転並びに突条縁の案内溝への遊嵌による、チャック部の容器本体内での前後方向の摺動を、該容器本体内壁の前後に設けられた２個のストッパーに対するチャック部の鍔部の係止によって規制するとともに、その摺動可能距離よりも、前記雄ネジ部の最先端ネジ山と最後端ネジ山との距離を若干長く設定することにより、
軸筒の過剰回転操作によって、ネジ駒の雌ネジ部とチャック軸の雄ネジ部との噛合が解離することがあっても、前記バネ部の弾撥力によって、両ネジ部が再噛合することを特徴とする棒状化粧料容器。
【発明の詳細な説明】
【技術分野】
【０００１】
本願発明は、例えばアイブロー、アイライナー、アイシャドー又はリップライナー等の細径化された棒状化粧料を出没自在に収容する棒状化粧料容器に関する。
【背景技術】
【０００２】
従来より、例えば上記各種棒状化粧料を出没自在に収容する棒状化粧料容器は、棒状化粧料を保持する芯チャックをネジ機構を利用して容器本体内で前後方向に摺動して、棒状化粧料を棒状化粧料容器内外に出没させるものである。
【０００３】
例えば、該棒状化粧料容器は、内壁面に案内溝を溝設する芯筒、ネジ駒を固持する軸筒、及び棒状化粧料を保持するとともに芯チャックと一体となり、その外周面にネジ駒と噛合するネジ部を螺設する押棒から構成するものとした上で、押棒と一体となる芯チャック部の外周面にストッパーリングを装着するとともに、該押棒の後端縁にはストッパーを配設してなるものである。そして該棒状化粧料容器において、軸筒を回転させることで軸筒内で固持されるネジ駒も共回りして、該ネジ駒と噛合する押棒が棒状化粧料容器内を前後方向に摺動することで、該押棒と一体となる芯チャック部に保持された棒状化粧料が芯筒の開口部より出没するものである（特許文献１参照）。
【０００４】
ところで、上記棒状化粧料容器では、棒状化粧料の出没操作時に、軸筒を過剰に回転させることで押棒が前後方向に摺動しすぎて押棒とネジ駒との噛合が解離し、棒状化粧料の出没操作が行えなくなることを防止するために、上記押棒と一体となる芯チャック部の外周面にはストッパーリングが、又、押棒の後端縁にはストッパーがそれぞれ配設されており、後方への摺動時には該ストッパーリングがネジ駒と係止し、前方への摺動時にはストッパーがネジ駒と係止することで、過剰な軸筒の回転による両者の噛合の解離を防止している。
ところで、この棒状化粧料容器におけるストッパーリングは、押棒とは別体である芯チャック部の外周に周設される係止溝内にＯリングを保持することにより構成されてなるものであるが、該係止溝内に保持されるＯリングは弾性体であって容易に変形しうるので、棒状化粧料の出没操作時に押棒の表面との摩擦により捩れやすく、また互いに噛合するネジ駒と押棒との間に噛み込まれやすいものである。そのため一旦該Ｏリングが変形又はネジ駒と押棒との間に噛み込まれてしまうと、両者の噛合が阻害され、軸筒による棒状化粧料の出没操作を行えなくなる恐れがある。またＯリング自体は芯チャック部とは別体であるので部品点数が増加するとともに、製造工程が複雑となって作業性が低下してしまうので、棒状化粧料容器の製造コストの上昇を招来するものである。
【０００５】
しかし何より、ストッパーリングやストッパーによって、過剰な軸筒の回転による押棒とネジ駒との噛合の解離を防止しようとしていることから、該ストッパーリング等によって押棒の前後方向への摺動が停止させられた際に、軸筒を回転させている使用者がその手応えを感じてそれ以上の軸筒の回転操作を控えればよいが、手応えを感じないあるいは手応えを感じてもあえて過剰に軸筒を回転させると、その棒状化粧料容器の出没機構そのものが損壊されるおそれがあった。
【特許文献１】特開平９−２７６０４１号
【発明の開示】
【発明が解決しようとする課題】
【０００６】
解決しようとする問題点は、簡単な構造として、棒状化粧料の出没操作時に軸筒を過剰に回転させることがあっても出没機構を損壊することがなく、逆に、ネジ駒と押棒との噛合が一旦解離しても、迅速且つ確実に、しかも容易に両者の噛合を回復させるとともに、その製造コストの低減を図ることである。
【課題を解決するための手段】
【０００７】
そこで、相互に個別回転可能に一体となる先筒と軸筒とからなる容器本体と、該容器本体内において先筒の開口部より棒状化粧料を出没させてなるネジ駒及びチャック軸とから構成され、
該先筒は、内周面前後方向に案内溝を有し、
該軸筒は、その内周面にチャック軸の雄ネジ部と噛合する雌ネジ部が螺設されるネジ駒を一体に固持し、
該チャック軸は、チャック部、雄ネジ部、及びそれらの間に一体に形成されるバネ部からなり、該チャック部は、その前端縁において棒状化粧料を把持するとともに、その側面に、前記先筒の内周面に設けられた案内溝に遊嵌する突条縁が設けられ、更に、その後端縁には径外方向に突出する鍔部が周設され、該雄ネジ部は、前記ネジ駒の雌ネジ部と噛合し、該バネ部は、上記チャック部と雄ネジ部との間において、該容器本体前後方向に伸縮自在に形成され、
軸筒と同期するネジ駒の回転並びに突条縁の案内溝への遊嵌による、チャック部の容器本体内での前後方向の摺動を、該容器本体内の前後に設けられた２個のストッパーに対するチャック部の鍔部の係止によって規制するとともに、その摺動可能距離よりも、前記雄ネジ部の最先端ネジ山と最後端ネジ山との距離を若干長く設定することにより、
軸筒の過剰回転操作によって、ネジ駒の雌ネジ部とチャック軸の雄ネジ部との噛合が解離することがあっても、前記バネ部の弾撥力によって、両ネジ部が再噛合するものである。
【０００８】
そのため、使用者が棒状化粧料を容器本体の先筒の開口部より突出させる方向へ軸筒を回転させた場合、チャック部の鍔部が容器本体内の前方のストッパーと係止するに至ると、チャック部はそれ以上前進できず、棒状化粧料がそれ以上容器本体より突出することはなくなる。ところが、不注意等によりさらに軸筒を同方向へ回転させてしまうと、チャック部の前後方向への摺動可能距離よりも、雄ネジ部の最先端ネジ山と最後端ネジ山との距離の方が若干長いことから、チャック軸のバネ部を圧縮しつつ、チャック軸の雄ネジ部が前進し、チャック軸の雄ネジ部とネジ駒の雌ネジ部との噛合が解離する。しかし、次の瞬間、圧縮されたバネ部の弾撥力によりチャック軸の雄ネジ部は容器本体後端側に押し戻され、ネジ駒の雌ネジ部とチャック軸の雄ネジ部とは再噛合する。この再噛合に際してクリック音が発生することから、使用者に対する過剰回転であることの警告となる。又、仮に同方向への軸筒の回転が繰り返されても、チャック軸の雄ネジ部の前進、同雄ネジ部とネジ駒の雌ネジ部の噛合の解離及び、両者の再噛合が繰り返されるだけで、ネジ駒及びチャック軸からなる棒状化粧料の出没機構自体に対して余分な負荷がかかることはなく、該出没機構の損壊を防止できるものである。
【０００９】
また、使用者が棒状化粧料を容器本体の先筒の開口部内に没入させるため軸筒を逆に回転させた場合、チャック部の鍔部が容器本体内の後方のストッパーと係止するに至ると、チャック部はそれ以上後退できず、棒状化粧料がそれ以上容器本体内に後退することはなくなる。ところが、不注意等によりさらに軸筒を同方向へ回転させてしまうと、チャック部の前後方向への摺動可能距離よりも、雄ネジ部の最先端ネジ山と最後端ネジ山との距離の方が若干長いことから、チャック軸のバネ部を引張しつつ、チャック軸の雄ネジ部が後退し、チャック軸の雄ネジ部とネジ駒の雌ネジ部との噛合が解離する。しかし、次の瞬間、引張されたバネ部の弾撥力によりチャック軸の雄ネジ部は容器本体前端側に引き戻され、ネジ駒の雌ネジ部とチャック軸の雄ネジ部とは再噛合する。この再噛合に際してクリック音が発せられることや、出没機構自体の損壊を防止できることは、前述の場合と同様である。
【発明の効果】
【００１０】
本願発明は、簡単な構造により、棒状化粧料の出没操作時において軸筒を過剰に回転させることがあっても、その過剰な軸筒の回転によって軸筒に固持されるネジ駒の雌ネジ部と棒状化粧料を保持するチャック軸の雄ネジ部との螺合を一旦解離させた上、両者の噛合を迅速且つ確実に、しかも容易に復活させることで、ネジ駒とチャック軸からなる出没機構の損壊を防止して継続して当該棒状化粧料容器を使用しうるようにするとともに、部品点数の削減及び製造作業の簡易化により製造コストの抑制を図ることができる優れた効果を有する。
【実施例】
【００１１】
図１乃至図４に示す１は、本願発明の実施例における棒状化粧料容器であり、先端に開口部４を有する先筒３、該先筒３に対して回転自在に取り付けられる軸筒１２とからなる容器本体２内には、先筒３の開口部４より棒状化粧料２８を出没させてなるチャック軸１９と、軸筒１２内周面に一体に固持され、該チャック軸１９を構成する雄ネジ部２５と螺合するネジ駒１４とが内挿されている。（なお、本明細書においては、容器本体２の先筒３の開口部４方向を前もしくは先、軸筒１２の方向を後として方向を指示する。）
【００１２】
該先筒３は、外周面に段部となる係止縁５を周設すると共に、その後方には、軸筒１２（後述する。）の内周面に周設する係止凹縁１３と嵌合して、離脱不能であって且つ相互に個別回転可能となる回転嵌合部２９を形成する係止凸縁６が円周方向に周設されている。また該先筒３の内部には、先筒３の開口部４よりチャック部２０に保持する棒状化粧料２８を出没させてなるチャック軸１９（後述する。）が内挿される摺動孔７が前後方向に穿設されている。そして該摺動孔７の前方側は、チャック軸１９のチャック部２０の外径と略同一の内径を有する小径部８に、又、後方側はチャック軸１９に周設される第１鍔部２３及び第２鍔部２４の外径と略同一の内径を有する大径部９となっている。さらに該小径部８と大径部９との境界においては段部１０が形成されている。その上、先筒３の摺動孔７の小径部８の内周面には、チャック軸１９（後述する。）のチャック部２０の外周面に互いに対向するように配設された４本の突条縁２１が遊嵌し、該チャック部２０を容器本体２前後方向に案内してなる案内溝１１が形成されている。
【００１３】
該軸筒１２は、一端を封止した円筒形状であって、その内周面の前端縁近傍では、先筒３の外周面の係止凸縁６と嵌合して、離脱不能であって且つ相互に個別回転可能となる回転嵌合部２９を形成する係止凹縁１３が円周方向に周設されている。また軸筒１２の内周面の略中央には、チャック軸１９（後述する。）の雄ネジ部２５と噛合する、前方へ向かって左螺旋状の雌ネジ部１５がその内周面に螺設されるネジ駒１４が一体に固持されている。なお、該ネジ駒１４は中空の円筒状であり、その内周の後端側略半分にだけ前述の雌ネジ部１５が螺設されているものである。そして、その前端縁１６が先筒３の後端縁に当接するとともに、該先筒３に設けられた摺動孔７の径大部よりも僅かに径内方向に突出するように設定されている。このように、ネジ駒１４の内周面に螺設される雌ネジ部１５の長さは、チャック軸１９の雄ネジ部２５の長さに比して著しく短く、またチャック軸１９の雄ネジ部２５が最大限摺動した際には、ネジ駒１４の雌ネジ部１５とチャック軸１９の雄ネジ部２５との噛合が解離しうるようになっている。なお、ネジ駒１４の雌ネジ部１５における両端の歯部１７の厚さは、それ以外の歯部１７と比べて薄くなっている。
【００１４】
以上より、前記容器本体２をなす先筒３と軸筒１２とは、先筒３の外周面に段部となる係止縁５に対して軸筒１２の前端縁１８を係止するとともに、先筒３の外周面の係止凸縁６と軸筒１２の内周面の係止凹縁１３とを嵌合させることで、離脱不能であって且つ相互に個別回転可能となる回転嵌合部２９を形成して一体となるものである。
【００１５】
一方、チャック軸１９は、棒状化粧料２８を把持してなるチャック部２０、軸筒１２の内周面に固持されるネジ駒１４の雌ネジ部１５と噛合する雄ネジ部２５、及びそれらの間に一体に形成されるバネ部２７が直列状になって構成されるものである。
そして、該チャック部２０は、外周面に互いに対向するように４本の突条縁２１が配設され、その前端縁近傍には棒状化粧料２８を把持する把持孔２２が穿設されている。この４本の突条縁２１は、先筒３の摺動孔７の小径部８の内周面に設けられた案内溝１１に遊嵌され、ネジ駒１４の回転に伴うチャック軸１９の供回りを防止している。一方、チャック部２０の後端には、径外方向に突出するものであって、チャック軸１９の前進時には摺動孔７内に設けられた段部１０と当接して係止する第１鍔部２３が前側に、又、チャック軸１９の後退時にはネジ駒１４の前端縁１６と当接して係止する第２鍔部２４が後ろ側に、それぞれ形成されている。すなわち、第１鍔部２３を係止する段部１０は前方のストッパーとして、又、同じく第２鍔部２４を係止するネジ駒１４の前端縁１６は後方のストッパーとなっている。更に、第１鍔部２３と第２鍔部２４の２個の鍔部を形成することにより、チャック部２０の前後方向への摺動可能距離を規制する際、鍔部の厚みではなく、その両鍔部２３，２４の設置距離を調整することにより、その摺動可能距離を調整することができる。
また該雄ネジ部２５は、軸筒１２の内周面に固持されるネジ駒１４の内周面に螺設される雌ネジ部１５と噛合できるように前方へ向かって左螺旋状であって、その最先端のネジ山と最後端のネジ山との間隔は、先筒３と軸筒１２とを一体として、先筒３内の段部１０と軸筒１２内に固持されたネジ駒１４の前端縁１６との距離から、第１鍔部２３と第２鍔部２４との距離を減じた距離（例えば、約２４ｍｍ）よりも若干長め（例えば、約０．５ｍｍ）となっている。すなわち、チャック部２０は、ストッパーとなる段部１０と第１鍔部２３との係止位置と、同じくストッパーとなるネジ駒１４の前端縁１６と第２鍔部２４との係止位置との間のみを前後に摺動することから、雄ネジ部２５の最先端と最後端の各ネジ山間の距離はそのチャック部２０の摺動可能距離（例えば約２４ｍｍ）よりも若干長く（例えば約０．５ｍｍ）設定されていることとなる。なお、雄ネジ部２５の両端の歯部２６は、ネジ駒１４の雌ネジ部１５と同様に、それ以外の部分に比べて薄歯となっている。
更に該バネ部２７は、上記チャック部２０と雄ネジ部２５との間に、容器本体前後方向に曲折して蛇腹状に形成され、該容器本体前後方向に伸縮自在となるものである。
【００１６】
チャック軸１９は以上のように構成されるので、使用者が容器本体２の先筒３の開口部４より棒状化粧料２８を出没させるために行う軸筒１２の回転操作において、軸筒１２を過剰に回転させることで次のように機能するものである。
即ち、使用者は棒状化粧料２８を容器本体２の先筒３の開口部４より突出させるために、軸筒１２を右回転させるが、軸筒１２を右回転し続けると、チャック軸１９の第１鍔部２３が先筒３内の摺動孔７に設けられた段部１０に突き当り、チャック部２０はそれ以上前進できなくなる。その際、使用者が不注意などにより更に軸筒１２を右回転させてしまうと、後述するようにバネ部２７が圧縮されることにより、前記ネジ駒１４の雌ネジ部１５とチャック軸１９の雄ネジ部２５との噛合が解離することとなる。すなわち、前述したようにチャック軸１９の雄ネジ部２５の最先端と最後端の各ネジ山間の距離が、先筒３内の段部１０と軸筒１２内に固持されたネジ駒１４の前端縁１６との距離から第１鍔部２３と第２鍔部２４との距離を減じた距離、すなわち、ストッパーとなる段部１０とネジ駒１４の前端縁１６にそれぞれ係止する第１鍔部２３及び第２鍔部２４により、前後方向への摺動を規制されるチャック部２０の摺動可能距離よりも若干長めに設定されていることから、軸筒１２の更なる右回転、すなわちネジ駒１４の更なる右回転により、チャック軸１９は更に前進しようとする。ところが、チャック軸１９の第１鍔部２３が先筒３内の摺動孔７内に形成される段部１０と当接して係止されているので、チャック軸１９全体としては前進できないこととなる。そのため、結果的にチャック軸１９のバネ部２７を圧縮しつつ、チャック軸１９の雄ネジ部２５だけが前進し、ネジ駒１４の雌ネジ部１５とチャック軸１９の雄ネジ部２５との噛合が一旦解離することとなる。しかし、次の瞬間、圧縮されたバネ部２７の弾撥力によりチャック軸１９の雄ネジ部２５は容器本体２後端側に押し戻され、ネジ駒１４の雌ネジ部１５とチャック軸１９の雄ネジ部２５とは再び噛合することとなる。その際、ネジ駒１４の雌ネジ部１５及びチャック軸１９の雄ネジ部２５の両端の歯部１７、２６は薄歯となっているので、再噛合後の回転始動が円滑となる。
【００１７】
一方、使用者が棒状化粧料２８を容器本体２の先筒３の開口部４より没入させるために軸筒１２を左回転させた場合、軸筒１２を左回転し続けると、チャック軸１９の第２鍔部２４が軸筒１２内に固持されるネジ駒１４の前端縁１６に突き当り、チャック部２０はそれ以上後退できなくなる。その際、使用者が不注意などにより更に軸筒１２を左回転させてしまうと、後述するようにバネ部２７が引張されることにより、前記ネジ駒１４の雌ネジ部１５とチャック軸１９の雄ネジ部２５との噛合が解離することとなる。すなわち、前述したように、チャック軸１９の雄ネジ部２５の最先端と最後端の各ネジ山間の距離が、先筒３内の段部１０と軸筒１２内に固持されたネジ駒１４の前端縁１６との距離から第１鍔部２３と第２鍔部２４との距離を減じた距離よりも若干長めに設定されていることから、軸筒１２の更なる左回転、すなわちネジ駒１４の更なる左回転により、チャック軸１９は更に後退しようとする。ところが、チャック軸１９の第２鍔部２４がネジ駒１４の前端縁１６に当接して係止されているので、チャック軸１９全体としては後退できないこととなる。そのため、結果的にチャック軸１９のバネ部２７が引張され、チャック軸１９の雄ネジ部２５だけが後退し、ネジ駒１４の雌ネジ部１５とチャック軸１９の雄ネジ部２５との噛合が一旦解離することとなる。しかし次の瞬間、引張されたバネ部２７の収縮力によりチャック軸１９の雄ネジ部２５は容器本体２前端側に引き戻され、ネジ駒１４の雌ネジ部１５とチャック軸１９の雄ネジ部２５とは再び噛合することとなる。その際、ネジ駒１４の雌ネジ部１５及びチャック軸１９の雄ネジ部２５の両端の歯部１７、２６が薄歯となっているので、再噛合後の回転始動が円滑となる。
【００１８】
以上より、図３に示すように、本願発明の実施例である棒状化粧料容器１を構成する先筒３と軸筒１２からなる容器本体２とチャック軸１９とは次のようにして一体となる。即ち、チャック軸１９のチャック部２０が把持する棒状化粧料２８の出没に際して、チャック軸１９の前進時には第１鍔部２３が摺動孔７内の段部１０と当接し、後退時には第２鍔部２４がネジ駒１４の前端縁１６と当接してバネ部２７を伸縮自在としてなるように、チャック軸１９の雄ネジ部２５と軸筒１２に固持されるネジ駒１４の雌ネジ部１５とを噛合させた上、先筒３の係止凸縁６と軸筒１２の係止凹縁１３とにより回転嵌合部２９を形成して一体とするものである。
【００１９】
そこで、本願発明の実施例における棒状化粧料容器１は上記のように構成されるので、使用者は次のようにして棒状化粧料容器１を使用するものである。
まず、使用に際しては、容器本体２の先筒３を持って軸筒１２を右回転させると、該軸筒１２の内周面において固持されるネジ駒１４は軸筒１２と一体に共回りする。そのため、該ネジ駒１４の内側面に螺設される雌ネジ部１５と噛合する雄ネジ部２５を有するチャック軸１９は、突条縁２１が先筒３の案内溝１１に遊嵌していることから回転せず、前進する。その結果、容器本体２内でチャック軸１９のチャック部２０に保持される棒状化粧料２８は容器本体２の先筒３の開口部４より突出する。なお、この軸筒１２の回転による棒状化粧料２８の突出操作は、チャック軸１９が容器本体２の先筒３の摺動孔７内を前進して、該摺動孔７内に形成される段部１０とチャック軸１９の第１鍔部２３とが当接するまで行うことができる。
【００２０】
そして、このように棒状化粧料２８を突出させるため軸筒１２を右回転させ続けると、最終的にチャック軸１９の第１鍔部２３と先筒３の摺動孔７内に形成される段部１０とが当接し、チャック部２０は前進できなくなる。
このような状態で使用者が不注意などにより軸筒１２を更に右回転させてしまうと、前述したように、チャック軸１９のバネ部２７を圧縮しつつ、チャック軸１９の雄ネジ部２５だけが前進し、ネジ駒１４の雌ネジ部１５とチャック軸１９の雄ネジ部２５との噛合が一旦解離することとなるが、次の瞬間には該圧縮されたバネ部２７の弾撥力によりチャック軸１９の雄ネジ部２５は容器本体２後端側に押し戻され、ネジ駒１４の雌ネジ部１５とチャック軸１９の雄ネジ部２５とは再噛合し、その際、クリック音を発することとなる。
使用者はこのクリック音により、それ以上の右回転が過剰であることを認識することができ、不必要な右回転を停止し、もしくは逆に軸筒１２を左回転させることとなる。
【００２１】
一方使用後においては、先筒３を持って軸筒１２を左回転させると、該軸筒１２の内周面において固持されるネジ駒１４も一体に共回りする。そのため、該ネジ駒１４の内側面に螺設される雌ネジ部１５と噛合する雄ネジ部２５を有するチャック軸１９は、突条縁２１が先筒３の案内溝１１に遊嵌していることから回転せず、後退する。その結果、容器本体２外に突出していた棒状化粧料２８は容器本体２の先筒３の開口部４より没入する。なお、この軸筒１２の回転による棒状化粧料２８の没入操作は、チャック軸１９が容器本体２の先筒３の摺動孔７内を後退して、該軸筒１２内に固持されるネジ駒１４の前端縁１６とチャック軸１９の第２鍔部２４とが当接するまで行うことができる。
【００２２】
そして、このように棒状化粧料２８を没入させるため軸筒１２を左回転させ続けると、最終的にチャック軸１９の第２鍔部２４と軸筒１２内に固持されるネジ駒１４の前端縁１６とが当接することで、チャック部２０は後退できなくなる。
このような状態で使用者が不注意などにより軸筒１２を更に左回転させてしまうと、前述したように、チャック軸１９のバネ部２７を引張しつつ、チャック軸１９の雄ネジ部２５だけが後退し、ネジ駒１４の雌ネジ部１５とチャック軸１９の雄ネジ部２５との噛合が一旦解離することとなるが、次の瞬間には該引張されたバネ部２７の収縮力によりチャック軸１９の雄ネジ部２５は容器本体２前端側に引き戻され、ネジ駒１４の雌ネジ部１５とチャック軸１９の雄ネジ部２５とは再噛合し、その際、クリック音を発することとなる。
使用者はこのクリック音により、それ以上の左回転が過剰であることを認識することができ、不必要な左回転を停止し、もしくは逆に軸筒１２を右回転させることとなる。  
【産業上の利用可能性】
【００２３】
本願発明は、棒状化粧料だけでなく、棒状の糊等の接着剤の繰出容器としても適用することができる。
【図面の簡単な説明】
【００２４】
【図１】本願発明の実施例である棒状化粧料容器の正面図である。
【図２】本願発明の実施例である棒状化粧料容器の使用状態を示す正面図である。
【図３】本願発明の実施例である棒状化粧料容器の拡大横断面図である。
【図４】本願発明の実施例である棒状化粧料容器における使用状態を示す拡大横断面図である。
【符号の説明】
【００２５】
１  棒状化粧料容器
２  容器本体
３  先筒
４  開口部
５  係止縁
６  係止凸縁
７  摺動孔
８  小径部
９  大径部
１０  段部
１１  案内溝
１２  軸筒
１３  係止凹縁
１４  ネジ駒
１５  雌ネジ部
１６  前端縁
１７  （雌ネジ部の）両端の歯部
１８  （軸筒の）前端縁
１９  チャック軸
２０  チャック部
２１  突条縁
２２  把持孔
２３  第１鍔部
２４  第２鍔部
２５  雄ネジ部
２６  （雄ネジ部の）両端の歯部
２７  バネ部
２８  棒状化粧料
２９  回転嵌合部
【図１】
2008220702.tif 000003
【図２】
2008220702.tif 000004
【図３】
2008220702.tif 000005
【図４】
2008220702.tif 000006